(57)【要約】      （修正有）【課題】各店舗での商品の販売をより促進しつつ、ユーザに便利な商品情報提供システムを提供する。【解決手段】商品情報提供システムは、表示画面を有した情報端末の存在位置に対応した第一の情報と、商品情報の提供場所に対応した第二の情報とに基づいて、前記情報端末に前記商品情報を提供するまたは提供可能な商品データを決定する商品決定部３００ｅと、前記商品決定部３００ｅで決定した前記商品データの前記商品情報を前記情報端末の前記表示画面に表示させる表示データを生成する表示データ生成部３００ｈと、を備える。【選択図】図８
2012108808.tif 000002
【特許請求の範囲】
【請求項１】
表示画面を有した情報端末の存在位置に対応した第一の情報と、商品情報の提供場所に対応した第二の情報とに基づいて、前記情報端末に前記商品情報を提供するまたは提供可能な商品データを決定する商品決定部と、
前記商品決定部で決定した前記商品データの前記商品情報を前記情報端末の前記表示画面に表示させる表示データを生成する表示データ生成部と、
を備えたことを特徴とする商品情報提供システム。
【請求項２】
前記商品決定部は、所定の場所に位置した前記情報端末に対しては、前記商品情報の提供場所が相異なる複数の商品データを、前記情報端末に前記商品情報を提供するまたは提供可能な商品データとして決定することを特徴とする請求項１に記載の商品情報提供システム。
【請求項３】
所定の記憶部に所定のアカウントに対応付けて登録された商品データを、前記商品情報の提供場所によらず、前記情報端末に前記商品情報を提供するまたは提供可能な商品データとして決定する第二の商品決定部を備え、
前記表示データ生成部が、前記第二の商品決定部で決定した前記商品データの前記商品情報を前記情報端末の前記表示画面に表示させる表示データを生成することを特徴とする請求項１または２に記載の商品情報提供システム。
【請求項４】
コンピュータを、請求項１〜３のうちいずれか一つに記載の商品情報提供システムの、前記商品決定部、および前記表示データ生成部として動作させることを特徴とするプログラム。
【請求項５】
請求項１〜３のうちいずれか一つに記載の商品情報提供システムで用いられる情報端末であって、当該情報端末の存在位置に応じて表示画面に表示される商品情報が異なることを特徴とする情報端末。
【請求項６】
前記商品決定部および前記表示データ生成部を備えたことを特徴とする請求項５に記載の情報端末。
【発明の詳細な説明】
【技術分野】
【０００１】
本発明の実施形態は、商品情報提供システム、プログラム、および情報端末に関する。
【背景技術】
【０００２】
従来、衣料品等の商品を組み合わせたコーディネート画像を表示して、コーディネートの検討を行いやすくしたシステムが知られている。
【発明の概要】
【発明が解決しようとする課題】
【０００３】
この種のシステムでは、各店舗での商品の販売をより促進しつつ、ユーザにとってより便利なシステムであることが望まれている。
【課題を解決するための手段】
【０００４】
本発明の実施形態にかかる商品情報提供システムは、表示画面を有した情報端末の存在位置に対応した第一の情報と、商品情報の提供場所に対応した第二の情報とに基づいて、前記情報端末に前記商品情報を提供するまたは提供可能な商品データを決定する商品決定部と、前記商品決定部で決定した前記商品データの前記商品情報を前記情報端末の前記表示画面に表示させる表示データを生成する表示データ生成部と、を備えたことを特徴の一つとする。
【図面の簡単な説明】
【０００５】
【図１】図１は、実施形態にかかる商品情報提供システムの概略構成の一例を示す模式図である。
【図２】図２は、実施形態にかかる商品情報提供システムが利用されるショッピングモールの一例を示す模式図である。
【図３】図３は、実施形態にかかる商品情報提供システムの据え置き型の情報端末が設置されたフィッティングボックスの一例を示す斜視図である。
【図４】図４は、実施形態にかかる商品情報提供システムの据え置き型の情報端末の一例を示すブロック図である。
【図５】図５は、実施形態にかかる商品情報提供システムの携帯型の情報端末の一例を示すブロック図である。
【図６】図６は、実施形態にかかる商品情報提供システムのサーバの一つとして動作するコンピュータの一例を示すブロック図である。
【図７】図７は、実施形態にかかる商品情報提供システムの管理端末の一例を示すブロック図である。
【図８】図８は、実施形態にかかる商品情報提供システムの一構成例を示すブロック図である。
【図９】図９は、実施形態にかかる商品情報提供システムの別の構成例を示すブロック図である。
【図１０】図１０は、実施形態にかかる商品情報提供システムの場所特定情報データベースの一例を示す模式図である。
【図１１】図１１は、実施形態にかかる商品情報提供システムの推奨商品情報データベースの一例を示す模式図である。
【図１２】図１２は、実施形態にかかる商品情報提供システムのアカウント情報データベースの一部の一例を示す模式図である。
【図１３】図１３は、実施形態にかかる商品情報提供システムの検討商品情報データベースの一例を示す模式図である。
【図１４】図１４は、実施形態にかかる商品情報提供システムの事前登録情報データベースの一例を示す模式図である。
【図１５】図１５は、実施形態にかかる商品情報提供システムの情報端末での商品情報の表示にかかわるフローチャートの一例を示す図である。
【図１６】図１６は、実施形態にかかる商品情報提供システムの据え置き型の情報端末の表示画面の一例を示す図である。
【図１７】図１７は、実施形態にかかる商品情報提供システムの据え置き型の情報端末の表示画面の別の一例を示す図である。
【図１８】図１８は、実施形態にかかる商品情報提供システムの据え置き型の情報端末の表示画面のさらに別の一例を示す図である。
【図１９】図１９は、実施形態にかかる商品情報提供システムの携帯型の情報端末の表示画面の一例を示す図である。
【図２０】図２０は、実施形態にかかる商品情報提供システムの携帯型の情報端末の表示画面の別の一例を示す図である。
【図２１】図２１は、実施形態にかかる商品情報提供システムの携帯型の情報端末の表示画面のさらに別の一例を示す図である。
【図２２】図２２は、実施形態にかかる商品情報提供システムの携帯型の情報端末の表示画面のさらに別の一例を示す図である。
【発明を実施するための形態】
【０００６】
本実施形態では、商品情報提供システム１は、有線または無線の通信回線（例えばインターネット等）２等を介して相互に電気的に接続されたコンピュータ３や、情報端末４、管理端末５、ゲート装置６等を備えている。
【０００７】
この商品情報提供システム１では、一つまたは複数のコンピュータ３が、所定のサービスを提供するサーバとして機能することができる。この商品情報提供システム１では、例えばＳａａＳ(Software as a Service)の形態で、サービスが提供されうる。
【０００８】
情報端末４としては、比較的大型で据え置き型の情報端末７や、サービス利用者（以下、単にユーザと記す）等が携帯する携帯型の情報端末８、ユーザ等が所持する携帯電話機や、ＰＤＡ(Personal Digital Assistant)、スマートフォン、スマートブック等の携帯型の情報端末９等が、用いられる。据え置き型の情報端末７の設置場所は、適宜に変更可能であるのが好適である。情報端末８は、一例としては、サービスを利用しやすい専用端末として、サービス提供者や各店舗１０（図２参照）等が貸し出す装置として構成されうる。これら情報端末４（７，８，９）は、いずれもコンピュータとして構成され、情報端末４には、それぞれ、サービスを受けるための汎用または専用のアプリケーション等がインストールされる。
【０００９】
管理端末５では、サービス提供者（各店舗１０等）のオペレータやユーザ等が、商品１１（図３等参照）の販売、決済、持ち出し等の管理や手続きを行うことができる。管理端末５は、一例としては、ＰＯＳ(Point Of Sales)端末として構成されうる。
【００１０】
また、図１に例示される管理端末５は、基台部５ａと、基台部５ａに設けられて表示画面（図示せず）を有した表示部５ｂと、情報端末８，９（図１では一例として情報端末８を示す）等を載置することができるドック５ｃと、を備えている。ドック５ｃには、情報端末８のコネクタ（図示せず）と電気的に接続されるコネクタ（図示せず）が設けられている。情報端末９が利用される場合には、少なくともドック５ｃを含む範囲に無線通信エリアを有した通信装置１２と情報端末９との間で、所定の無線通信方式による通信が行われる。また、ドック５ｃには可動式の蓋５ｄが設けられている。管理端末５および情報端末８のコネクタ同士は、蓋５ｄが開かれた状態で、蓋５ｄの奥で相互に接続される。情報端末９等は、蓋５ｄが閉じられた状態で蓋５ｄの表面上に載置される。また、ドック５ｃは、情報端末８，９を、管理端末５の表示部５ｂの表示画面と情報端末８，９の表示画面８ａ，９ａとが相反する方向を指向する姿勢で、設置する。すなわち、情報端末８，９がドック５ｃに載置されると、情報端末８，９の表示画面８ａ，９ａと、表示部５ｂの表示画面とが、相反する方向を指向する。よって、本実施形態では、管理端末５および情報端末８，９によって、一時的に、サービス提供者や店舗１０のオペレータとサービスを利用するユーザとが対向する対面型端末が構成される。
【００１１】
ゲート装置６は、例えば、店舗１０やショッピングモール１４（図２参照）の出入口等のゲートとなる場所に設置され、商品１１（商品１１に添付されたタグ１３（図３参照））やユーザ（ユーザが所持する携帯型の情報端末８，９等）の出入りを監視する。ゲート装置６は、所定の無線通信方式で、商品１１や情報端末８，９等と通信することができる。
【００１２】
また、通信装置１２は、所定の無線通信方式（例えば、無線ＬＡＮ(Local Area Network)等）で、情報端末４、管理端末５、ゲート装置６等と通信する。通信装置１２は、有線または無線で通信回線２に電気的に接続される。
【００１３】
本実施形態にかかる商品情報提供システム１は、例えば、図２に例示するようなショッピングモール１４で用いられる。ショッピングモール１４では、複数の店舗１０が、通路１５に面して配置され、広場１６等も設けられている。また、例えば、ショッピングモール１４のゲートとなる位置や、複数の店舗１０からアクセスしやすい位置等には、ユーザ（商品１１の購入者）が商品１１を受け取ることが可能な受取カウンタ１７が設けられている。また、本実施形態にかかる商品情報提供システム１では、情報端末４が各店舗１０内に位置した場合、共有の場所あるいはフリースペースとしての通路１５や広場１６（図２中にドットパターンで図示した領域）に位置した場合に比べて、情報端末４に提供される商品１１の情報が制限される。
【００１４】
据え置き型の情報端末７は、例えば、図３に例示するようなフィッティングボックス１８に設置することができる。フィッティングボックス１８には、床１８ａや、壁１８ｂ、天井１８ｃ等で仕切られたフィッティングスペース１９が形成されている。図３の例では、奥側の壁１８ｂに、比較的大きな縦型かつ矩形の表示画面７ａを有した情報端末７が設置されている。また、入口１８ｄには、開閉可能なカーテン２０が設置されており、ユーザは、入口１８ｄのカーテン２０を閉めることで、フィッティングスペース１９内で、商品１１（衣料品等）の実物の試着を行うことができる。また、フィッティングボックス１８は、ストッパ（図示せず）付きのキャスタ１８ｅを備えており、サービス提供者や店舗１０のオペレータ等は、フィッティングボックス１８を所望の位置に移動させて設置することができる。フィッティングボックス１８は、店舗１０内はもちろん、通路１５や広場１６等の共有の場所あるいはフリースペースにも設置することができる。共有の場所あるいはフリースペースに設置されるフィッティングボックス１８では、情報端末７が配置される奥側を除く周囲（二つの側面および手前側の側面）をカーテン２０で覆うことでフィッティングスペース１９を形成し、カーテン２０が開けられてより広く公開された状態で、表示画面７ａ上に仮想的な試着画像を表示することができる。また、据え置き型の情報端末７は、デジタルサイネージ(Digital Signage)として利用することもできる。
【００１５】
また、フィッティングボックス１８には、フィッティングスペース１９内に臨む状態でＲＦＩＤ(Radio Frequency IDentification)リーダライタ７１ｉが設けられている。このＲＦＩＤリーダライタ７１ｉは、商品１１に添付されたタグ１３との間で無線通信を行い、タグ１３からアンテナ１３ａを介して記憶部１３ｂに格納された商品情報を受信する。また、フィッティングボックス１８には、例えば入口１８ｄ等に、人体センサとしてのセンサ（例えば赤外線センサ等）７１ｈが設けられている。このセンサ７１ｈは、フィッティングスペース１９内にいるあるいは出入りするユーザやオペレータ等を検出する。また、フィッティングボックス１８には、室内を照らすランプ７１ｇ１（７１ｇ）や、室外に所定の事象（例えば、フィッティングスペース１９が使用されていることや、フィッティングスペース１９内からの呼び出し、不正操作の放置等）を知らせるランプ７１ｇ２，７１ｇ３（７１ｇ）等が設けられている。
【００１６】
図４に例示されるように、据え置き型の情報端末７は、ＣＰＵ(Central Processing Unit)７０や、ＲＯＭ(Read Only Memory)７０ａ、ＲＡＭ(Random Access Memory)７０ｂ、ＮＶＲＡＭ(Non Volatile RAM)７０ｃ、通信インタフェース（Ｉ／Ｆ）７０ｄ、各デバイスのコントローラ７０ｅ等を備えている。これら各要素は、アドレスバスやデータバス等のバス７０ｆを介して相互に接続されている。また、情報端末７は、デバイスとして、ハードディスクドライブ（ＨＤＤ）７１ａや、ディスプレイ７１ｂ、カメラ７１ｃ、スキャナ７１ｄ、マイク７１ｅ、スピーカ７１ｆ、ランプ７１ｇ、センサ７１ｈ、ＲＦＩＤリーダライタ７１ｉ、無線通信機構７１ｊ等を備えている。なお、情報端末７は、これらデバイスを全て有している必要はなく、サービスの実施のために必要な最低限のデバイスを有していればよい。
【００１７】
ＣＰＵ７０は、ＲＯＭ７０ａ等に記憶されたコンピュータ読み取り可能な各種プログラムを実行することにより、情報端末７を制御する。ＲＯＭ７０ａは、ＣＰＵ７０が実行する各種データや、各種プログラム（ＢＩＯＳプログラム、アプリケーションプログラム、デバイスドライバプログラム等）等を記憶する。ＲＡＭ７０ｂは、ＣＰＵ７０が各種プログラムを実行する際に一時的にデータやプログラムを記憶する。ＮＶＲＡＭ７０ｃは、不揮発性の書き換え可能なメモリであり、種々の演算や処理等で利用されるデータが格納される。通信Ｉ／Ｆ７０ｄは、通信回線２等を介して接続される他の装置との間の通信（データの授受等）を制御する。コントローラ７０ｅは、ＣＰＵ７０の指令を受けて対応するデバイスを動作させるとともに、対応するデバイスの出力をＣＰＵ７０へ送る。
【００１８】
ＨＤＤ７１ａは、各種のデータを記憶する。ディスプレイ７１ｂは、例えばＬＣＤ(Liquid Crystal Display)や有機ＥＬ(Electro Luminescence)ディスプレイとして構成される。ディスプレイ７１ｂは、ＣＰＵ７０によって制御され、所定の画像（静止画または動画）を表示する。
【００１９】
カメラ７１ｃは、フィッティングスペース１９内のユーザの動画または静止画を撮像する。カメラ７１ｃによって撮像された画像は、試着した商品１１を含んでもよいし、含まなくてもよい。
【００２０】
また、ＣＰＵ７０は、ディスプレイ７１ｂを制御して、カメラ７１ｃで撮像された動画を、実像の鏡像（左右反転した画像）として、情報端末７の表示画面７ａに表示する。これにより、ユーザは、表示画面７ａを、鏡として利用することができる。したがって、ＣＰＵ７０は、ディスプレイ７１ｂを制御して、表示画面７ａに、カメラ７１ｃで撮像された画像と商品１１の画像とを合成した画像を表示させることで、実際に試着していない商品１１を仮想的に試着した画像を、表示画面７ａに表示することができる。さらに、ＣＰＵ７０は、カメラ７１ｃが撮像した画像に基づいて、フィッティングスペース１９におけるユーザの動作を把握し、この動作に基づいてユーザの指示入力を認識することができる。この場合、ＣＰＵ７０は、ディスプレイ７１ｂを制御して、表示画面７ａに、ユーザの動作に対応したカーソル等を表示させる。すなわち、本実施形態では、ＣＰＵ７０は、カメラ７１ｃおよびディスプレイ７１ｂを用いて、マンマシンインタフェースを実現することができる。
【００２１】
スキャナ７１ｄは、例えば、商品１１に添付されたタグ１３に付与された一次元バーコードや二次元バーコードを光学的に読み取り可能なバーコードスキャナあるいは画像スキャナ等である。スキャナ７１ｄは、例えば、フィッティングボックス１８に、フィッティングスペース１９内に臨む状態で設置される。
【００２２】
マイク７１ｅは、ユーザの発する音声（声）を電気信号に変換する。マイク７１ｅに対応するコントローラ７０ｅは、マイク７１ｅで変換された電気信号をＣＰＵ７０へ送る。スピーカ７１ｆは、当該スピーカ７１ｆに対応するコントローラ７０ｅを介してＣＰＵ７０から受け取った電気信号を音声に変換して出力する。ＣＰＵ７０は、マイク７１ｅからの電気信号を解析してユーザの指示入力を認識することができる。この場合、ＣＰＵ７０は、ディスプレイ７１ｂを制御して、表示画面７ａに、ユーザの音声に対応したカーソル等を表示させる。すなわち、本実施形態では、ＣＰＵ７０は、マイク７１ｅおよびディスプレイ７１ｂを用いて、マンマシンインタフェースを実現することができる。
【００２３】
ランプ７１ｇ（７１ｇ１，７１ｇ２，７１ｇ３、図３参照）は、ＣＰＵ７０によって制御され、点灯および消灯を切り替える。なお、フィッティングスペース１９内を照らすランプは、図示しないスイッチの操作によって、点灯および消灯を切り替えてもよい。センサ７１ｈによる検出結果は、センサ７１ｈに対応するコントローラ７０ｅがＣＰＵ７０に送る。ＲＦＩＤリーダライタ７１ｉは、商品１１に添付されたタグ１３等のＲＦＩＤタグとの間で無線通信を実行する。無線通信機構７１ｊは、所定の無線通信方式で、通信装置１２との間でデータを授受する。無線通信機構７１ｊに対応するコントローラ７０ｅは、通信装置１２から無線通信機構７１ｊが受けたデータをＣＰＵ７０へ送るとともに、ＣＰＵ７０から受けたデータを無線通信機構７１ｊから通信装置１２へ送る。
【００２４】
図５に例示されるように、携帯型の情報端末８，９は、ＣＰＵ(Central Processing Unit)８０や、ＲＯＭ(Read Only Memory)８０ａ、ＲＡＭ(Random Access Memory)８０ｂ、ＮＶＲＡＭ(Non Volatile RAM)８０ｃ、通信インタフェース（Ｉ／Ｆ）８０ｄ、各デバイスのコントローラ８０ｅ等を備えている。これら各要素は、アドレスバスやデータバス等のバス８０ｆを介して相互に接続されている。また、情報端末８，９は、デバイスとして、ハードディスクドライブ（ＨＤＤ）８１ａや、ディスプレイ８１ｂ、タッチパネル８１ｃ、カメラ８１ｄ、マイク８１ｅ、スピーカ８１ｆ、ＲＦＩＤリーダライタ８１ｇ、無線通信機構８１ｈ、ＧＰＳ(Global Positioning System)受信機構８１ｉ等を備えている。なお、情報端末８，９は、これらデバイスを全て有している必要はなく、サービスの実施のために必要な最低限のデバイスを有していればよい。また、ＣＰＵ８０や、ＲＯＭ８０ａ、ＲＡＭ８０ｂ、ＮＶＲＡＭ８０ｃ、通信Ｉ／Ｆ８０ｄ、バス８０ｆ、コントローラ８０ｅ、ＨＤＤ８１ａ、ディスプレイ８１ｂ、カメラ８１ｄ、マイク８１ｅ、スピーカ８１ｆ、ＲＦＩＤリーダライタ８１ｇ、無線通信機構８１ｈ等の基本的な構成および動作は、上記情報端末７のものと同様であるため、重複する説明を省略する。
【００２５】
タッチパネル８１ｃは、ユーザの手指やスタイラス等の表示画面８ａ，９ａ上の接触位置を検出する。タッチパネル８１ｃに対応するコントローラ８０ｅは、検出結果をＣＰＵ８０へ送る。ＣＰＵ８０は、ディスプレイ８１ｂを制御して、表示画面８ａ，９ａに、ユーザの手指やスタイラス等の動作に対応したカーソル等を表示させる。すなわち、本実施形態では、ＣＰＵ８０は、タッチパネル８１ｃおよびディスプレイ８１ｂを用いて、マンマシンインタフェースを実現することができる。なお、情報端末８，９は、操作入力部として、タッチパネル８１ｃに替えて、あるいはタッチパネル８１ｃとともに、キーボードや、操作ボタン、ポインティングデバイス等を有することができる。
【００２６】
ＧＰＳ受信機構８１ｉは、人工衛星から到来する電波を受信する。ＣＰＵ８０は、ＧＰＳ受信機構８１ｉが受信した電波から、情報端末８，９の位置（緯度、経度）を認識することができる。
【００２７】
図６に例示されるように、サーバとして動作するコンピュータ３は、ＣＰＵ(Central Processing Unit)３０や、ＲＯＭ(Read Only Memory)３０ａ、ＲＡＭ(Random Access Memory)３０ｂ、ＮＶＲＡＭ(Non Volatile RAM)３０ｃ、通信インタフェース（Ｉ／Ｆ）３０ｄ、各デバイスのコントローラ３０ｅ等を備えている。これら各要素は、アドレスバスやデータバス等のバス３０ｆを介して相互に接続されている。また、コンピュータ３は、デバイスとして、ハードディスクドライブ（ＨＤＤ）３１ａや、ディスプレイ３１ｂ、キーボード３１ｃ、無線通信機構３１ｄ等を備えている。なお、コンピュータ３は、これらデバイスを全て有している必要はなく、サービスの実施のために必要な最低限のデバイスを有していればよい。また、ＣＰＵ３０や、ＲＯＭ３０ａ、ＲＡＭ３０ｂ、ＮＶＲＡＭ３０ｃ、通信Ｉ／Ｆ３０ｄ、バス３０ｆ、コントローラ３０ｅ、ＨＤＤ３１ａ、ディスプレイ３１ｂ、無線通信機構３１ｄ等の基本的な構成および動作は、上記情報端末７のものと同様であるため、重複する説明を省略する。
【００２８】
キーボード３１ｃに対応するコントローラ３０ｅは、キー（図示せず）の入力信号をＣＰＵ３０へ送る。ＣＰＵ３０は、ディスプレイ３１ｂを制御して、ディスプレイ３１ｂの表示画面（図示せず）に、オペレータ等の動作に対応したカーソル等を表示させる。すなわち、本実施形態では、ＣＰＵ３０は、キーボード３１ｃおよびディスプレイ３１ｂを用いて、マンマシンインタフェースを実現することができる。なお、何らかの設定入力等を除き、通常のサービス提供時には、ディスプレイ３１ｂやキーボード３１ｃ等は使用されない。
【００２９】
図７に例示されるように、ＰＯＳ端末として動作する管理端末５は、ＣＰＵ(Central Processing Unit)５０や、ＲＯＭ(Read Only Memory)５０ａ、ＲＡＭ(Random Access Memory)５０ｂ、ＮＶＲＡＭ(Non Volatile RAM)５０ｃ、通信インタフェース（Ｉ／Ｆ）５０ｄ、各デバイスのコントローラ５０ｅ、ＩＯ(Input/Output)ポート５０ｇ等を備えている。これら各要素は、アドレスバスやデータバス等のバス５０ｆを介して相互に接続されている。また、管理端末５は、デバイスとして、ハードディスクドライブ（ＨＤＤ）５１ａや、ディスプレイ５１ｂ、タッチパネル５１ｃ、スキャナ５１ｄ、スピーカ５１ｅ、ＲＦＩＤリーダライタ５１ｆ、無線通信機構５１ｇ、プリンタ５１ｈ、モードスイッチ５１ｉ、ドロワ開放機構５１ｊ等を備えている。なお、管理端末５は、これらデバイスを全て有している必要はなく、サービスの実施のために必要な最低限のデバイスを有していればよい。また、ＣＰＵ５０や、ＲＯＭ５０ａ、ＲＡＭ５０ｂ、ＮＶＲＡＭ５０ｃ、通信Ｉ／Ｆ５０ｄ、バス５０ｆ、コントローラ５０ｅ、ＨＤＤ５１ａ、ディスプレイ５１ｂ、タッチパネル５１ｃ、スキャナ５１ｄ、スピーカ５１ｅ、ＲＦＩＤリーダライタ５１ｆ、無線通信機構５１ｇ等の基本的な構成および動作は、上記情報端末７，８のものと同様であるため、重複する説明を省略する。
【００３０】
プリンタ５１ｈは、プリンタ５１ｈに対応するコントローラ５０ｅを介してＣＰＵ５０によって制御され、レシートやジャーナル等の用紙に印字する。ＩＯポート５０ｇは、モードスイッチ５１ｉからのモード選択信号を入力するとともにドロワ（図示せず）の引出しを自動開放させるドロワ開放機構５１ｊに信号を出力する。
【００３１】
図８に例示する商品情報提供システム１では、一つのコンピュータ３で構成されるサーバ３００のＣＰＵ３０が、アカウント管理部３００ａや、データ登録管理部３００ｂ、販売登録部３００ｃ、決済部３００ｄ、商品決定部３００ｅ、第二の商品決定部３００ｆ、フィッティング部３００ｇ、表示データ生成部３００ｈ等として動作する。各部の動作は後述する。コンピュータ３の記憶部（例えば、ＨＤＤ３１ａ等）には、プログラムがインストールされ、ＣＰＵ３０が、読み出したプログラムにしたがって動作することにより、アカウント管理部３００ａや、データ登録管理部３００ｂ、販売登録部３００ｃ、決済部３００ｄ、商品決定部３００ｅ、第二の商品決定部３００ｆ、フィッティング部３００ｇ、表示データ生成部３００ｈ等として動作する。すなわち、プログラムには、例えば、アカウント管理部３００ａや、データ登録管理部３００ｂ、販売登録部３００ｃ、決済部３００ｄ、商品決定部３００ｅ、第二の商品決定部３００ｆ、フィッティング部３００ｇ、表示データ生成部３００ｈ等のそれぞれに対応するモジュールが含まれる。
【００３２】
サーバ３００として動作するコンピュータ３、あるいは別のコンピュータ３の記憶部（例えば一つあるいは複数のＨＤＤ３１ａ）３１０は、データベースとして機能する。データベースとして機能する記憶部３１０は、例えばＲＡＩＤ(Redundant Arrays of Inexpensive Disks)として構成されるのが好適である。記憶部３１０には、場所特定情報データベース３１０ａや、推奨商品情報データベース３１０ｂ、アカウント情報データベース３１０ｃ、検討商品情報データベース３１０ｄ、事前登録情報データベース３１０ｅ、商品情報データベース３１０ｆ、画像情報データベース３１０ｇ等が含まれる。各データベースについては後述する。
【００３３】
図８とは別の例として図９に例示する商品情報提供システム１では、一つのコンピュータ３で構成されるサーバ３００のＣＰＵ３０が、アカウント管理部３００ａや、データ登録管理部３００ｂ、フィッティング部３００ｇ等として動作する。また、情報端末４のＣＰＵ７０，８０が、商品決定部４００ａや、第二の商品決定部４００ｂ、表示データ生成部４００ｃ等として動作する。また、管理端末５のＣＰＵ５０が、販売登録部５００ａや決済部５００ｂ等として動作する。各部の動作は後述する。コンピュータ３の記憶部（例えば、ＨＤＤ３１ａ等）には、プログラムがインストールされ、ＣＰＵ３０が、読み出したプログラムにしたがって動作することにより、アカウント管理部３００ａや、データ登録管理部３００ｂ、フィッティング部３００ｇ等として動作する。また、情報端末４の記憶部（例えば、ＨＤＤ７１ａ，８１ａ等）には、プログラムがインストールされ、ＣＰＵ７０，８０が、読み出したプログラムにしたがって動作することにより、商品決定部４００ａや、第二の商品決定部４００ｂ、表示データ生成部４００ｃとして動作する。また、管理端末５の記憶部（例えば、ＨＤＤ５１ａ等）には、プログラムがインストールされ、ＣＰＵ５０が、読み出したプログラムにしたがって動作することにより、販売登録部５００ａや決済部５００ｂ等として動作する。
【００３４】
アカウント管理部３００ａは、アカウントＩＤおよびパスワードを記憶するアカウント情報データベース３１０ｃにアクセスし、記憶されているアカウントＩＤおよびパスワードと、情報端末８，９等で入力されたアカウントＩＤおよびパスワードとを比較して、正しいアカウントか否かの識別を行う。また、アカウント管理部３００ａは、新規アカウントの追加や、削除、パスワードの変更等に伴って、アカウント情報データベース３１０ｃにアクセスして、データの追加や、削除、更新等を実行する。
【００３５】
データ登録管理部３００ｂは、例えば店舗１０毎に設定される推奨する商品１１の商品情報を記憶する推奨商品情報データベース３１０ｂや、ユーザが購入やフィッティング（コーディネート）を検討している商品１１の商品情報を記憶する検討商品情報データベース３１０ｄ、ユーザが購入や持ち出しを予定している商品１１の商品情報を記憶する事前登録情報データベース３１０ｅ等にアクセスして、データの追加や、削除、更新等を実行する。
【００３６】
販売登録部３００ｃ，５００ａは、ユーザが購入する商品１１の商品情報を所定の記憶部（例えば、管理端末５のＨＤＤ５１ａ等）に記憶し、決済部３００ｄ，５００ｂは、販売登録部３００ｃ，５００ａで商品１１について登録処理が完了した後、決済（現金や、電子マネー、クレジットカード等による決済）処理を実行する。
【００３７】
商品決定部３００ｅ，４００ａおよび第二の商品決定部３００ｆ，４００ｂは、情報端末４（７，８，９）の表示画面７ａ，８ａ，９ａに商品情報を表示させる商品１１（商品データ）を決定する。また、フィッティング部３００ｇは、人体画像や商品画像を合成した画像を生成するか、あるいは合成に必要なパラメータを算出する。また、表示データ生成部３００ｈ，４００ｃは、商品決定部３００ｅ，４００ａまたは第二の商品決定部３００ｆ，４００ｂで決定された商品１１の商品情報を、情報端末４（７，８，９）の表示画面７ａ，８ａ，９ａに表示させる表示データ（例えばＸＭＬ(Extensible Markup Language)データ等）を生成する。なお、コンピュータ３や、情報端末４、管理端末５等の間における種々のデータの送受信に際しては、それぞれのＣＰＵ３０，７０，８０，５０が、送受信制御部（図示せず）として動作する。
【００３８】
図１０に例示するように、場所特定情報データベース３１０ａには、店舗１０や場所（通路１５や広場１６等）を識別するＩＤ（店舗／場所ＩＤ）と、有線または無線の通信装置（例えば通信装置１２、ゲート装置６等）のＩＰアドレスや、通信装置のＭＡＣアドレス、通信装置のＩＤ等の情報とが、対応付けがわかる状態で、格納されている。場所特定情報データベース３１０ａを参照すれば、通信装置ＩＰアドレスや、通信装置ＭＡＣアドレス、通信装置ＩＤが、どの店舗１０や場所に対応しているのかを判別することができ、さらに情報端末４と通信を行っている通信装置に関してのこれらの情報（通信装置ＩＰアドレスや、通信装置ＭＡＣアドレス、通信装置ＩＤ）から、情報端末４がどの店舗１０や場所に位置しているかを判別することができる。すなわち、本実施形態では、場所特定情報データベース３１０ａの店舗／場所ＩＤや、通信装置のＩＰアドレス、通信装置のＭＡＣアドレス、通信装置のＩＤ等が、情報端末４の存在位置に対応した（存在位置を示す）第一の情報に相当する。なお、情報端末４がＧＰＳ受信機構８１ｉ（図５参照）を有している場合には、情報端末４の緯度や経度のデータ、あるいは当該緯度や経度のデータと店舗１０や場所（通路１５や広場１６等）の緯度や経度のデータと比較参照して得られる店舗／場所ＩＤが、第一の情報になりうる。
【００３９】
図１１に例示するように、推奨商品情報データベース３１０ｂには、店舗１０や場所を識別するＩＤ（店舗／場所ＩＤ）と、ユーザの属性と、コーディネートまたはアイテムのＩＤと、商品ＩＤ（商品コード）とが、対応付けがわかる状態で、格納されている。コーディネートまたはアイテムのＩＤには、複数の商品ＩＤおよび一つの属性が対応している。コーディネートＩＤ（例えば、ＣＳ００１，ＣＳ００２等）は、衣料品等の複数のアイテム（例えば、ジャケット、シャツ、ブラウス、パンツ、靴、バッグ等）の組み合わせ（コーディネート）を区別する。よって、一つのコーディネートＩＤには、複数のアイテムの商品ＩＤが対応付けられている。また、アイテムＩＤ（例えば、Ｉ００１，Ｉ００２等）は、アイテムの種類（例えば、ジャケット、シャツ、ブラウス、パンツ、靴、バッグ等のうちいずれか）を区別する。よって、一つのアイテムＩＤには、同一種類の異なる複数の商品１１の商品ＩＤが対応付けられている。そして、これらコーディネートあるいはアイテムの組み合わせについて、それぞれ、ユーザの属性が対応付けられている。ユーザの属性は、ユーザの性別、年齢、嗜好等を区別する。例えば、「Ｆ２０Ａ」の「Ｆ」は女性を示し、「２０」は年齢（２０歳代）を示し、「Ａ」はカジュアル指向であることを示す。また、例えば、「Ｍ３０Ａ」の「Ｍ」は男性を示し、「Ｆ２０Ｂ」の「Ｂ」はフォーマル指向であることを示す。そして、店舗１０毎に、複数のコーディネート／アイテムＩＤが、設定されている。この推奨商品情報データベース３１０ｂは、商品１１の商品情報を提供する店舗１０や場所を示す情報である。よって、本実施形態では、推奨商品情報データベース３１０ｂに含まれる店舗／場所ＩＤが、商品情報の提供場所に対応した（提供場所を示す）第二の情報に相当する。
【００４０】
本実施形態では、場所特定情報データベース３１０ａと、推奨商品情報データベース３１０ｂとが、第一の情報と第二の情報とを対応付ける情報（第一の情報と第二の情報との対応付けを示す情報）と言うことができる。
【００４１】
図１２に例示するように、アカウント情報データベース３１０ｃの一部には、アカウントＩＤと、属性とが、対応付けがわかる状態で格納されている。このアカウント情報データベース３１０ｃから、各ユーザの性別、年齢、嗜好等がわかる。
【００４２】
図１３に例示するように、検討商品情報データベース３１０ｄには、アカウントＩＤと、コーディネート／アイテムＩＤと、商品ＩＤとが、対応付けがわかる状態で格納されている。検討商品情報データベース３１０ｄには、ユーザが決めたコーディネートやアイテムが格納される。ユーザは、情報端末４を操作して、コーディネートやアイテム（商品群）の商品情報を表示画面７ａ，８ａ，９ａに表示させることができる。
【００４３】
本実施形態では、場所特定情報データベース３１０ａと、検討商品情報データベース３１０ｄとが、第一の情報とユーザが選択した商品１１の商品情報の提供場所に対応した第三の情報とを対応付ける情報（第一の情報と第三の情報との対応付けを示す情報）と言うことができる。
【００４４】
図１４に例示するように、事前登録情報データベース３１０ｅには、アカウントＩＤ毎に、ユーザによって事前登録された商品１１の商品ＩＤが格納され、商品１１毎に、決済の有無（既決済または未決済）を示すフラグと、商品１１の持ち出しの有無（店舗１０やショッピングモール１４の管理領域から外に持ち出すか、持ち出さないか）を示すフラグとが、格納されている。決済の有無を示すフラグは、例えば、既決済が「１」、未決済が「０」に設定され、持ち出しの有無を示すフラグは、例えば、持ち出しが「１」、持ち出さないが「０」に設定される。
【００４５】
また、商品情報データベース３１０ｆ（図８参照）には、商品１１の商品ＩＤ（商品コード）に対応付けて、スペック（商品名、ブランド名、店舗名、価格、サイズ、色等）が格納されている。また、画像情報データベース３１０ｇ（図８参照）には、商品１１の商品画像や、組み合わせられた（コーディネートされた）商品１１の画像（コーディネート画像）、人体画像等の各種画像が格納されている。画像情報データベース３１０ｇには、サービス提供者が登録した情報と、ユーザが登録した情報とが含まれている。
【００４６】
図１５は、商品情報提供システム１で、情報端末４に商品１１の商品情報が表示される過程の一例を示すフローチャートである。まず、商品決定部３００ｅ，４００ａは、情報端末４あるいは情報端末４と通信した通信装置（例えば通信装置１２、ゲート装置６等）から、情報端末４の存在位置に対応した第一の情報を受け取るとともに、情報端末４でログインしているユーザのアカウントＩＤを受け取る（ステップＳ１）。
【００４７】
次に、商品決定部３００ｅ，４００ａは、場所特定情報データベース（ＤＢ）３１０ａを参照して、受け取った第一の情報に対応した店舗／場所ＩＤを得る（ステップＳ２）。
【００４８】
次に、商品決定部３００ｅ，４００ａは、アカウント情報データベース３１０ｃを参照して、受け取ったアカウントＩＤに対応した属性を得る（ステップＳ３）。
【００４９】
次に、商品決定部３００ｅ，４００ａは、推奨商品情報データベース３１０ｂを参照して、ステップＳ２で得た店舗／場所ＩＤおよびステップＳ３で得た属性に対応した商品ＩＤ、コーディネートＩＤ、あるいはアイテムＩＤを得る（ステップＳ４）。このステップＳ４で、情報端末４で商品情報を提供する商品１１（商品データ）が決定される。
【００５０】
一方、第二の商品決定部３００ｆ，４００ｂは、少なくともステップＳ１の後、検討商品情報データベース３１０ｄを参照して、アカウントＩＤに対応した商品ＩＤ、コーディネートＩＤ、あるいはアイテムＩＤを得る（ステップＳ５）。このステップＳ５でも、情報端末４で商品情報を提供する商品１１（商品データ）が決定される。ステップＳ５は、ステップＳ１の後であればよく、ステップＳ２〜Ｓ４の前に行われてもよい。
【００５１】
次に、表示データ生成部３００ｈ，４００ｃは、ステップＳ４およびステップＳ５のうち少なくとも一方で決定された商品１１の商品情報を含む情報端末４での表示データ（例えば、ＸＭＬデータ等）を生成する（ステップＳ６）。情報端末４で提供される商品１１の商品情報は、例えば、商品１１の画像（例えば、写真画像やイラスト等）やスペック（例えば、ブランド名、店舗名、サイズ、価格、色、在庫数等）である。
【００５２】
次に、サーバ３００（の送受信制御部）は、表示データ生成部３００ｈ，４００ｃが生成した表示データを情報端末４に送信する（ステップＳ７）。これにより、情報端末４の表示画面７ａ，８ａ，９ａで、表示データから得られる画像、すなわち、ステップＳ４およびステップＳ５のうち少なくとも一方で決定された商品１１の商品情報を含む画像が表示される（ステップＳ８）。なお、図９に例示される構成の場合には、装置間で表示データの送受信は行われない。ただし、記憶部３１０の商品情報データベース３１０ｆや画像情報データベース３１０ｇに格納されたステップＳ４，Ｓ５で決定された商品１１の商品情報や画像が、情報端末４に送信される。
【００５３】
図１５に例示されるフローでは、ステップＳ４で商品決定部３００ｅ，４００ａが決定する商品１１（商品データ）は、サービス提供者側（例えば、店舗１０、店舗１０のグループ、ショッピングモール１４、ブランド、商店街等）が提供する商品１１である。本実施形態では、推奨する商品１１の商品情報が提供されるが、推奨されるものである必要はなく、例えば、売上げ数の覆い商品１１や、発売されたばかりの商品１１等であってもよい。これに対し、ステップＳ５で第二の商品決定部３００ｆ，４００ｂが決定する商品１１（商品データ）は、アカウントを登録したユーザが選択した商品１１である。すなわち、本実施形態では、サービス提供者が提供する商品１１については、情報端末４で商品情報が提供される場所が制限され（予め設定され）、ユーザが選択した商品１１については、情報端末４で商品情報が提供される場所が制限されないという点に特徴がある。
【００５４】
図１６〜１８は、据え置き型の情報端末７の表示画面７ａに表示された画像の一例を示す図である。表示画面７ａの中央には、カメラ７１ｃで撮像された画像の鏡像としての人物画像Ｉｍ１が表示される。人物画像Ｉｍ１は、動画で表示され、実物の動きに合わせて動くものであってもよいし、静止画であってもよいし、事前あるいはその場で撮像された画像であってもよい。
【００５５】
図１６に示すように、人物画像Ｉｍ１の周囲には、商品情報として、複数の商品画像Ｉｍ２が表示される。商品画像Ｉｍ２は、表示画面７ａの大きさ、縦横比、人物画像Ｉｍ１の大きさ等に合わせて適宜に縮小あるいは簡略化されて表示される。また、図１６の例では、アイテムの種類（ジャケット、ワンピース、パンツ、ネックレス、バッグ、靴等）毎に、複数の商品画像Ｉｍ２が集められた状態で表示されている。
【００５６】
また、図１６の例では、操作用のアイコン画像Ｉｍ３が表示されている。ユーザが所定の操作を行って、表示画面７ａ上で、カーソルや、強調表示等を移動させて、アイコン画像Ｉｍ３を選択し、さらに選択を確定して実行させるための所定の操作を行うと、ＣＰＵ３０，７０は、アイコン画像Ｉｍ３に応じた操作を行う。例えば、ユーザが、所定の操作を行うことにより、表示画面７ａ上で、商品画像Ｉｍ２を「クローゼット」のアイコン画像Ｉｍ３上までドラッグすると、データ登録管理部３００ｂが、選択された商品画像Ｉｍ２の商品１１（商品ＩＤ）を、検討商品情報データベース３１０ｄに登録する。また、例えば、ユーザが、所定の操作を行うことにより、表示画面７ａ上で、商品画像Ｉｍ２を「買物カゴ」のアイコン画像Ｉｍ３上までドラッグすると、データ登録管理部３００ｂが、選択された商品画像Ｉｍ２の商品１１（商品ＩＤ）を、事前登録情報データベース３１０ｅに登録する。
【００５７】
また、例えば、ユーザが、所定の操作を行うことにより、表示画面７ａ上で、商品画像Ｉｍ２を人物画像Ｉｍ１上までドラッグすると、図１７に例示するように、フィッティング部３００ｇが、人物画像Ｉｍ１が仮想的に商品画像Ｉｍ２の商品１１を身につけた画像を合成し、その画像が表示画面７ａ上に表示される。
【００５８】
そして、例えば、ユーザが、所定の操作を行うことにより、表示画面７ａ上で、「おすすめコーデ」のアイコン画像Ｉｍ３を選択して実行すると、表示データ生成部３００ｈが生成した表示データに基づいて、図１８に例示するように、商品１１のコーディネート画像Ｉｍ４が表示される。この例では、「おすすめコーデ」の選択に応じて表示されるコーディネート画像Ｉｍ４は、サービス提供者が提供する商品情報に相当する。
【００５９】
上述したように、本実施形態では、サービス提供者が提供する商品情報の表示画面７ａでの表示の可否は、情報端末７の存在位置によって異なる。情報端末７が店舗１０内に設置されている場合、当該情報端末７の表示画面７ａには、店舗１０に対応する（店舗ＩＤに対応付けられた）商品１１の商品情報（例えば画像や文字情報等）が表示され、店舗１０に対応しない商品１１の商品情報は表示されない。ただし、ログインしているアカウントＩＤに対応付けられた商品１１の商品情報（例えば画像や文字情報等）については、情報端末７の位置に関わらず、すなわち、当該店舗１０に対応付けられていない（例えば、他の店舗１０の）商品１１の商品情報であっても、表示画面７ａに表示される。なお、図示しないが、ユーザが登録した商品情報は、ユーザが、図１６の表示画面７ａの「クローゼット」のアイコン画像Ｉｍ３を選択して決定する所定の操作を行うことで、表示画面７ａ上に展開（表示）される。
【００６０】
一方、本実施形態では、情報端末７が、例えば、通路１５や広場１６等、共有の場所あるいはフリースペースに設置されている場合には、店舗１０内に位置している場合に比べて、サービス提供者が提供する商品情報の表示画面７ａでの表示の制限が緩和される。具体的には、登録されている店舗１０（例えば、ショッピングモール１４内の全店舗１０）の商品１１の商品情報であれば、全て表示されるようにすることができるし、あるいは、設置位置に応じて、その周囲の複数の店舗１０の商品１１の商品情報が表示されるようにすることができる。本実施形態では、商品情報を提供する範囲は、推奨商品情報データベース（サービス提供者によって提供される商品の商品情報データベース）３１０ｂでの、商品ＩＤ、コーディネートＩＤ、アイテムＩＤと店舗／場所ＩＤとの対応付け、すなわち、商品情報と当該商品情報の提供場所に対応した（提供場所を示す）第二の情報との対応付けによって、適宜に設定（変更）することができる。
【００６１】
図１９〜２２は、携帯型の情報端末８の表示画面８ａに表示された画像の一例を示す図である。表示画面８ａの中央には、人物画像Ｉｍ１が表示される。人物画像Ｉｍ１は、一例としては、据え置き型の情報端末７のカメラ７１ｃで撮影された画像の鏡像を用いることができる。
【００６２】
図１９に示すように、人物画像Ｉｍ１の周囲には、商品情報として、複数のコーディネート画像Ｉｍ４が表示される。コーディネート画像Ｉｍ４は、表示画面８ａの大きさ、縦横比、人物画像Ｉｍ１の大きさ等に合わせて適宜に縮小あるいは簡略化されて表示される。また、図１９の例では、表示画面８ａには、サービス提供者から提供されるコーディネート画像Ｉｍ４と、ユーザが据え置き型の情報端末７での操作等によって予め登録しておいたコーディネート画像Ｉｍ４とが、表示されている。そして、ユーザが所定の操作を行って、表示画面８ａ上で、「おすすめコーデＢ」を選択し、さらに選択を確定して実行させるための所定の操作を行うと、ＣＰＵ３０，７０は、図２０に例示するように、「おすすめコーデＢ」のコーディネート画像Ｉｍ４を、人物画像Ｉｍ１として用いる。
【００６３】
また、図１９の例では、操作用のアイコン画像Ｉｍ３が表示されている。ユーザが所定の操作を行って、表示画面８ａ上で、カーソルや、強調表示等を移動させて、アイコン画像Ｉｍ３を選択し、さらに選択を確定して実行させるための所定の操作を行うと、ＣＰＵ３０，７０は、アイコン画像Ｉｍ３に応じた操作を行う。例えば、ユーザが、所定の操作を行うことにより、表示画面８ａ上で、「おすすめコーデＢ」のコーディネート画像Ｉｍ４を「クローゼット」のアイコン画像Ｉｍ３上までドラッグすると、データ登録管理部３００ｂが、選択されたコーディネート画像Ｉｍ４の商品１１（商品ＩＤあるいはコーディネートＩＤ）を、検討商品情報データベース３１０ｄに登録する。また、例えば、ユーザが、所定の操作を行うことにより、表示画面８ａ上で、コーディネート画像Ｉｍ４を「買物カゴ」のアイコン画像Ｉｍ３上までドラッグすると、データ登録管理部３００ｂが、選択されたコーディネート画像Ｉｍ４の商品１１（商品ＩＤ）を、事前登録情報データベース３１０ｅに登録する。
【００６４】
そして、例えば、ユーザが、所定の操作を行うことにより、表示画面８ａ上で、「クローゼット」のアイコン画像Ｉｍ３を選択して実行すると、表示データ生成部３００ｈが生成した表示データに基づいて、図２１に例示するように、ユーザが事前に検討のために登録しておいた商品１１の商品画像Ｉｍ２が表示される。
【００６５】
さらに、例えば、ユーザが、所定の操作を行うことにより、表示画面８ａ上で、商品画像Ｉｍ２を人物画像Ｉｍ１上までドラッグすると、図２２に例示するように、フィッティング部３００ｇが、人物画像Ｉｍ１が仮想的に商品画像Ｉｍ２の商品１１を身につけた画像を合成し、その画像が表示画面８ａ上に表示される。
【００６６】
上述したように、本実施形態では、サービス提供者が提供する商品情報の表示画面８ａでの表示の可否は、情報端末８の存在位置によって異なる。情報端末８が店舗１０内に位置した場合、当該情報端末８の表示画面８ａには、店舗１０に対応する（店舗ＩＤに対応付けられた）商品１１の商品情報（例えば画像や文字情報等）が表示され、店舗１０に対応しない商品１１の商品情報は表示されない。ただし、ログインしているアカウントＩＤに対応付けられた商品１１の商品情報（例えば画像や文字情報等）については、情報端末８の位置に関わらず、すなわち、当該店舗１０に対応付けられていない（例えば、他の店舗１０の）商品１１の商品情報であっても、表示画面８ａに表示される。
【００６７】
一方、本実施形態では、情報端末８が、例えば、通路１５や広場１６等、共有の場所あるいはフリースペースに位置した場合には、店舗１０内に位置している場合に比べて、サービス提供者が提供する商品情報の表示画面８ａでの表示の制限が緩和される。具体的には、登録されている店舗１０（例えば、ショッピングモール１４内の全店舗１０）の商品１１の商品情報であれば、全て表示されるようにすることができるし、あるいは、存在位置に応じて、その周囲の複数の店舗１０の商品１１の商品情報が表示されるようにすることができる。本実施形態では、商品情報を提供する範囲は、推奨商品情報データベース（サービス提供者によって提供される商品の商品情報データベース）３１０ｂでの、商品ＩＤ、コーディネートＩＤ、アイテムＩＤと店舗／場所ＩＤとの対応付け、すなわち、商品情報と当該商品情報の提供場所に対応した（提供場所を示す）第二の情報との対応付けによって、適宜に設定（変更）することができる。情報端末８の動作および効果は、情報端末９についても同様である。
【００６８】
以上、本発明の一実施形態について説明したが、本発明は上記実施形態には限定されず、種々の変形が可能である。例えば、商品決定部は、情報端末で提供可能な商品データを決定し、具体的にどの商品データの商品情報を表示するかは、例えば情報端末等で決定するようにすることができる。
【００６９】
上記実施形態によれば、各店舗での商品の販売をより促進しつつ、ユーザにとってより便利な商品情報提供システムを得ることができる。
【符号の説明】
【００７０】
１…商品情報提供システム
４（７，８，９）…情報端末
７ａ，８ａ，９ａ…表示画面
１１…商品
３００ｅ，４００ａ…商品決定部
３００ｆ，４００ｂ…第二の商品決定部
３００ｈ，４００ｃ…表示データ生成部
３１０…記憶部
【先行技術文献】
【特許文献】
【００７１】
【特許文献１】特開２００９−６４３７４
【図１】
2012108808.tif 000003
【図２】
2012108808.tif 000004
【図３】
2012108808.tif 000005
【図４】
2012108808.tif 000006
【図５】
2012108808.tif 000007
【図６】
2012108808.tif 000008
【図７】
2012108808.tif 000009
【図８】
2012108808.tif 000010
【図９】
2012108808.tif 000011
【図１０】
2012108808.tif 000012
【図１１】
2012108808.tif 000013
【図１２】
2012108808.tif 000014
【図１３】
2012108808.tif 000015
【図１４】
2012108808.tif 000016
【図１５】
2012108808.tif 000017
【図１６】
2012108808.tif 000018
【図１７】
2012108808.tif 000019
【図１８】
2012108808.tif 000020
【図１９】
2012108808.tif 000021
【図２０】
2012108808.tif 000022
【図２１】
2012108808.tif 000023
【図２２】
2012108808.tif 000024